(57)【要約】  フィーダデバイスを用いた自動分配に適合されかつ補強グリッドを支持するように構成された積み重ね可能な基礎スペーサであって、基礎スペーサは、コンクリートのための基礎支持面上に配置されるように適合された下側支承面と、複数の接触位置において補強グリッドを支持するよう構成された第１の支持面と、下側支承面と第１の支持面とを接続する外周側壁とを備え、外周側壁は、角度αで、下側支承面から第１の支持面へと外側に傾斜しており、かつ、第１の支持面の形状は、支持される補強グリッドにおけるメッシュよりも大きい。本発明の利点は、基礎スペーサの分配が分配用のハンドヘルドあるいは自動フィーダデバイスを用いて自動化できることである。さらに、補強グリッドは、スペーサの位置に関係なく、基礎スペーサによって支持できる。さらなる利点は、スペーサが積み重ね可能であることである。
2015533961.tif 000002
【特許請求の範囲】
【請求項１】
フィーダデバイスを用いた自動分配に適合されかつ補強グリッド（２０）を支持するように構成された積み重ね可能な基礎スペーサ（１）であって、前記基礎スペーサ（１）は、コンクリートのための基礎支持面上に配置されるように適合された下側支承面（２）と、複数の接触位置において補強グリッドを支持するよう構成された第１の支持面（３）と、前記下側支承面（２）と前記第１の支持面（３）とを接続する外周側壁（４）と、を備え、前記外周側壁（４）は、角度αで、前記下側支承面（２）から前記第１の支持面（３）へと外側に傾斜しており、かつ、前記第１の支持面（３）の形状は、支持される前記補強グリッド（２０）におけるメッシュ（２１）よりも大きい、積み重ね可能な基礎スペーサ。
【請求項２】
前記基礎スペーサは、さらに、前記補強グリッド（２０）を支持するよう構成された第２の支持面（６）と、前記下側支承面（２）と前記第２の支持面（６）とを接続する内側側壁（１１）と、を備え、前記内側側壁（１１）は、角度βで、前記下側支承面（２）から前記第２の支持面（６）へと内側に傾斜している、請求項１に記載の積み重ね可能な基礎スペーサ。
【請求項３】
前記基礎スペーサ（１）は、この基礎スペーサ（１）の自動分配のために使用されるように適合された中央開口（７）を備える、請求項１または請求項２に記載の積み重ね可能な基礎スペーサ。
【請求項４】
前記基礎スペーサの外形は円形である、請求項１ないし請求項３のいずれか１項に記載の積み重ね可能な基礎スペーサ。
【請求項５】
前記基礎スペーサの外形は、１２０度の分割角度を有する三つの半円形部分を備える、請求項１ないし請求項３のいずれか１項に記載の積み重ね可能な基礎スペーサ。
【請求項６】
前記第１の支持面は外側に延在する外側リム（５）を備える、請求項１ないし請求項５のいずれか１項に記載の積み重ね可能な基礎スペーサ。
【請求項７】
前記第２の支持面は内側に延在する内側リム（１４）を備える、請求項２ないし請求項６のいずれか１項に記載の積み重ね可能な基礎スペーサ。
【請求項８】
前記基礎スペーサは、前記外側側壁（４）を前記内側側壁（１１）と相互接続する少なくとも一つの中間壁（８）を備える、請求項２ないし請求項７のいずれか１項に記載の積み重ね可能な基礎スペーサ。
【請求項９】
前記基礎スペーサは、複数の基礎スペーサが積み重ねられたとき、別な基礎スペーサの前記支承面（２）を支持するよう構成された前記外側および／または内側側壁（４，１１）の内側に複数の隆起部（１２）を備える、請求項１ないし請求項８のいずれか１項に記載の積み重ね可能な基礎スペーサ。
【請求項１０】
請求項１ないし請求項９のいずれか１項に記載の積み重ね可能な基礎スペーサを複数保持するよう構成されたマガジン（４０）。
【請求項１１】
前記マガジンが解放機構（４１）を備える、請求項１０に記載のマガジン。
【請求項１２】
請求項１ないし請求項９のいずれか１項に記載の積み重ね可能な基礎スペーサ（１）を分配するよう構成されたフィーダデバイス（３０，５０）。
【請求項１３】
前記フィーダデバイスは、複数の積み重ね可能な補強スペーサ（１）を支持するための本体（３６，５７）と、一度に一つの補強スペーサ（１）を解放するための解放機構（３１，５１）と、前記フィーダデバイス（３０，５０）を保持するためのハンドル（３３，５２）と、を備える、請求項１２に記載のフィーダデバイス。
【請求項１４】
前記フィーダデバイスは、手で前記解放機構を作動させるための解放グリップ（３２，５５）を備える、請求項１２または請求項１３に記載のフィーダデバイス。
【請求項１５】
前記解放機構（３１，５１）はスプリング装荷されており、かつ、前記解放機構は、前記解放機構のスプリングの力に打ち勝つために、前記ハンドル（３３，５２）を上向きに引っ張ることによって操作される、請求項１２ないし請求項１４のいずれか１項に記載のフィーダデバイス。
【請求項１６】
前記本体（３６）は長尺なロッドである、請求項１２ないし請求項１５のいずれか１項に記載のフィーダデバイス。
【請求項１７】
前記本体（３６）は円形である、請求項１６に記載のフィーダデバイス。
【請求項１８】
前記解放機構（３１）は、第１の位置（３４）に第１の解放手段（３８）を、そして第２の位置（３５）に第２の解放手段（３９）を備える、請求項１３ないし請求項１７のいずれか１項に記載のフィーダデバイス。
【請求項１９】
前記第１の解放手段（３８）は一つのスペーサを保持するよう構成され、かつ、前記第２の解放手段（３９）は複数のスペーサを保持するよう構成される、請求項１８に記載のフィーダデバイス。
【請求項２０】
前記第１の解放手段（３８）は複数のスペーサを保持するよう構成され、かつ、前記第２の解放手段（３９）は全てのスペーサを、ただし一つ保持するよう構成される、請求項１８に記載のフィーダデバイス。
【請求項２１】
前記第１の位置（３４）と前記第２の位置（３５）との間の距離は、二つの積み重ねられたスペーサ間の距離に対応する、請求項１８ないし請求項２０のいずれか１項に記載のフィーダデバイス。
【請求項２２】
前記解放機構は、まず、前記第１の位置（３４）から一つのスペーサを解放し、続いて、前記解放機構がスペーサを解放するために操作されたとき、前記第２の位置（３４）から前記第１の位置（３４）へと一つのスペーサを解放するように構成される、請求項１８ないし請求項２１のいずれか１項に記載のフィーダデバイス。
【請求項２３】
前記解放機構は、まず、全てのスペーサを保持するが一つは前記第２の位置（３５）において保持し、続いて、前記解放機構がスペーサを解放するために操作されたとき、前記第１の位置（３４）から一つのスペーサを解放するよう構成される、請求項１８ないし請求項２１のいずれか１項に記載のフィーダデバイス。
【請求項２４】
各解放手段（３８，３９）は、解放手段がスペーサを保持するとき、前記本体から外側に突出する、請求項１２ないし請求項２３のいずれか１項に記載のフィーダデバイス。
【請求項２５】
前記フィーダ機構は、両方の解放手段（３８，３９）が同時に前記本体と整列させられるフィードイン位置を備える、請求項１２ないし請求項２４のいずれか１項に記載のフィーダデバイス。
【請求項２６】
前記フィーダデバイス（５０）は、少なくとも二つの車輪（５６）と、一度に一つの基礎スペーサ（１）を解放するための第１の解放機構（５１）と、複数の積み重ね可能な基礎スペーサ（１）を保持するよう構成されたホルダーと、を備える、請求項１２ないし請求項１５のいずれか１項に記載のフィーダデバイス。
【請求項２７】
前記解放機構（５１）は、二つの基礎スペーサ間の解放インターバルを設定可能であるように調整可能である、請求項２６に記載のフィーダデバイス。
【請求項２８】
前記解放機構（５１）は車輪（５６）の回転に依存して制御される、請求項２６または請求項２７に記載のフィーダデバイス。
【請求項２９】
前記フィーダデバイスは、第２の解放機構（５１）を備える、請求項２６ないし請求項２８のいずれか１項に記載のフィーダデバイス。
【請求項３０】
前記第１および第２の解放機構間の側方距離は調整可能である、請求項２９に記載のフィーダデバイス。
【請求項３１】
前記第１および第２の解放機構の解放インターバルが同一である、請求項２９または請求項３０に記載のフィーダデバイス。
【発明の詳細な説明】
【技術分野】
【０００１】
本発明は、コンクリート建造物において補強グリッドを支持するために使用されるように適合された、積み重ね可能な基礎スペーサに関する。積み重ね可能なスペーサは、フィーダデバイスを用いて自動分配されるように適合される。スペーサのサイズおよび形状は、スペーサが地面にランダムに配置されている場合でも、それが補強グリッドに対して信頼性の高い支持を付与するようなものである。スペーサは、手作業で、ハンドヘルドフィーダデバイスを使用することによって、または半自動または自動フィーダデバイスを用いて分配することができる。スペーサの位置決めは重要ではないという事実のために、費用効率のよいスペーサが提供される。本発明はさらに、このような基礎スペーサを分配するように適合されたフィーダデバイスに関する。
【背景技術】
【０００２】
コンクリート建造物は、通常、強度を高め、割れを防止するために、ある種の補強材を備える。補強材は、単一の補強バー（鉄筋）、補強グリッドあるいはさまざまな種類の繊維などであってもよい。広い領域をカバーする場合、最も一般的なのはスチールの補強バーからなる補強グリッドである。小さな領域のためにまたはグリッドに対する補足物として、単一の補強スチールバーが使用される。
【０００３】
建造物に必要な特性を実現するために、補強材が異なる高さに配置される。この高さは、完成した建造物における補強材の周りにコンクリートカバーを形成する。補強スペーサは、所定の高さでの補強材の位置決め作業を簡素化するために、そしてコンクリートが熱を持つまでプロセスを通じてそこにそれを維持するために使用される。使用されるスペーサの種類は、例えば、規制、周囲の環境、天然資源や美的意見の影響を受ける。
【０００４】
コンクリートカバーは、補強材と完成した建造物のコンクリート表面との間の最小距離として規定される。要求とは異なるコンクリートカバーは、建造物の強度およびライフサイクルに悪影響を与えることがある。コンクリートカバーへの要求は、国内規則によって設定されることがあり、建造物の種類や周囲環境に依存して変化し得る。コンクリートカバーの一つの目的は、腐食が構造に及ぼす負の影響を回避するために、水分が補強スチールに到達するのを防止することである。腐食は、その拡張を通じて、ゆっくりと近くのコンクリートを破壊し、これによってさらに多くの水分がスチールに到達し、腐食過程を促進させる。時間が経つにつれて、これは建造物の強度を弱める。
【０００５】
補強のためのサポートを提供するために、補強スペーサが使用されている。これらは、多くの場合、プラスチックから作られ、コンクリートが十分に補強材およびスペーサを包含することを容易にするように設計されている。最後の建造物におけるエアポケットは避けなければならない。スペーサの形状に応じて、コンクリートがその上に注がれたときに脱気経路を提供するために、それは、ある種類の孔を備えている必要がある。
【０００６】
補強スペーサは異なる材料から作られる。最も一般的なのはプラスチック製のスペーサであるが、スチール、コンクリートおよびその他の材料もまた使用される。プラスチックスペーサは、取り扱いが容易、軽量、概して低価格、製造工程が高速である、そしてスペーサを所望の形状へと容易に形成できる、といった、その他の材料に比べて、さまざまな利点を有する。コンクリートスペーサは、ほとんどの建造物で使用することができる。しかしながら、この材料はそれを重くし、デザインはそれを用いた作業をより複雑にする。それらは、主に、プラスチックが許可されていない場合に使用される。スチール製スペーサは、主に、例えば補強グリッドの二つの層の間で、建造物中のスペーサとして使用される。スチールスペーサは、腐食の問題を引き起こすために、ほとんど地面上で使用されない。
【０００７】
適用分野に応じて、補強スペーサは、二つの主要なグループ、基礎スペーサおよび壁スペーサに分類される。基礎スペーサは、主に、基礎／地面プレートにおいて補強材を位置決めするために使用され、そして壁スペーサは、主に、壁およびボールトにおいて補強材を位置決めするために使用される。主な違いは、それらが使用されることを意図された基礎面の種類である。
【０００８】
壁スペーサは細い脚および／または小さな足を備えるように設計される。型枠の表面は一般的に堅く、枠板であることさえあり、これは、スペーサが倒れたり、表面を横切ったりするのを防止するのを助ける。型枠が除去されると、スペーサ足が見えるようになる。さらに処理されない壁あるいはボールトにおいて、これらの足は壁面に現れるが、これは望ましくない。したがって壁スペーサは最低限の足を持つように設計され、ほとんど常に、周囲のコンクリートのように着色される。低い視認性が重要な要件である。
【０００９】
基礎スペーサは、型枠表面が、粗砂、砂利、グリットまたはその他の自由排水物質の成層または地面といった、軟質かつ／または不均一なものとして分類されるときに使用されるよう設計される。地面に向うスペーサの支承面は、スペーサが地面の上に安定して立つのを助けかつ地面の中に埋没したり倒れたりしないようにするために、比較的大きな面積と、たいていは大きな直径とを有する。基礎スペーサは、主に、地面プレートおよび基礎のために使用されるため、スペーサは下方に面し、認識できない。基礎スペーサは、したがって、審美的な意義を持たない。基礎スペーサのベースプレート面積は、下にある面を打ち抜かないように十分な大きさであり、かつ、それが基礎スペーサが倒れるリスクを最小化することが重要である。
【００１０】
基礎スペーサは、設計の差およびそれらが使用される方法の違いにより２つのサブグループに分類される。一つのタイプは、地面スペーサと呼ばれる。これらは、典型的には、大きなベースプレートおよび上部の小さな支持領域を有する。小さな支持領域によって、各スペーサは、補強材を支持するために正確な位置に置かれなければならない。地面スペーサは、安価であるが、それを使用した作業には時間が浪費すると考えられる。他のタイプのリニアスペーサである。それらは長くかつ幅狭である。それらは、長さ方向のその支持領域のどこかで補強材を支持し、したがって正確な位置決めは不要である。それらの長さ（たいてい２メートル）に起因して、それらはスペーサを配置する作業時間を短縮する。
【００１１】
基礎スペーサのこれらのタイプの両方は支持地面の上に手作業で配置され、この場合、地面スペーサは正確な位置に配置しなければならない。リニアスペーサは、しばしば２メートルの長さで提供され、そして、多くの場合、互いに長手方向に隣接して配置される。それらはかなり重量がある。
【００１２】
特許文献１は、使用前に組み立てる必要がある三つの部分を備えたリニア基礎スペーサを開示している。特許文献２は、壁スペーサとして使用するために適合された小さな足を有するリニア壁スペーサを開示している。特殊なベースセグメントが、スペーサを基礎スペーサとして使用することができるように、この足に取り付けることができる。特許文献３は、リニア壁スペーサを開示している。特許文献４は、ワイヤーメッシュあるいは単一の補強バーの固定的保持のための上側受けセクションを有する積み重ね可能な基礎スペーサを開示している。
【００１３】
特許文献５は、プレハブ壁モジュールを製造するための円形壁スペーサを開示しており、このスペーサは型枠上にランダムに配置することができる。補強グリッド内の単一の正方形よりも大きな直径によって、スペーサは、その位置に関係なく、常に、サポートを提供する。ほとんどの壁スペーサとして、脚と足は細く、これは、それを、土壌あるいはＥＰＳ（押出ポリスチレン）といった断熱材のような柔らかい下層型枠面上での使用に適さないものとする。細い足は、誤ったコンクリートカバーが付与されると、補強材およびその上を歩く作業者の重量によって支持面内に沈んでいく。特許文献６はまた、ランダムに配置することができる類似の壁スペーサを開示している。
【００１４】
したがって、基礎スペーサを改善する余地が存在する。
【先行技術文献】
【特許文献】
【００１５】
【特許文献１】米国特許第６７７５９５４号明細書
【特許文献２】濠国特許出願公開第２００６／１００５３８号明細書
【特許文献３】米国特許第４９４２７１４号明細書
【特許文献４】米国特許出願公開第２００５／００５５６４号明細書
【特許文献５】独国特許発明第２８２１０７８号明細書
【特許文献５】独国特許発明第２８０９４３０号明細書
【発明の概要】
【発明が解決しようとする課題】
【００１６】
本発明の目的は、したがって、補強グリッドを支持するための改良された積み重ね可能な基礎スペーサを提供することであり、これは、自動化された分配に適合される。本発明のさらなる目的は、そうした複数の基礎スペーサを保持するためのマガジンを提供することにある。本発明のさらなる目的は、そうした基礎スペーサを分配するためのフィーダデバイスを提供することである。
【課題を解決するための手段】
【００１７】
本発明による問題の解決策は、基礎スペーサに関する請求項１の特徴部分に、マガジンに関する請求項１０に、そしてフィーダデバイスに関する請求項１２に記載されている。その他の請求項は、有利な実施形態および基礎スペーサ、マガジンおよびフィーダデバイスのさらなる展開を含む。
【００１８】
自動分配に適合されかつ補強グリッドを支持するように構成された積み重ね可能な基礎スペーサであって、基礎スペーサが、コンクリートのための基礎支持面上に配置されるように適合された下側支承面と、複数の接触位置において補強グリッドを支持するよう構成された第１の支持面と、下側支承面と第１の支持面とを接続する外周側壁とを備える基礎スペーサにおいて、本発明の目的は、外周側壁が、角度αで、下側支承面から第１の支持面へと外側に傾斜しており、かつ、第１の支持面の形状は、支持される補強グリッドにおけるメッシュよりも大きいことによって達成される。
【００１９】
本発明に係る基礎スペーサのこの第１の実施形態によって、自動分配に適合された基礎スペーサが提供される。基礎スペーサは、コンクリート建造物において補強グリッドを支持するために使用されることが意図される。基礎スペーサのサイズおよび形状に起因して、基礎スペーサにコンクリートを容易に充填しかつそれをコンクリートで取り囲むことができ、それらはランダムに配置することができ、そして補強グリッドを依然として支持することができる。スペーサの位置決めは重要ではないので、スペーサの分配はフィーダデバイスを使用することで時間節約的に実施できる。さらに、補強グリッドは基礎スペーサに対して取り付けられる必要はなく、これはまた時間を節約する。基礎スペーサの形状は、スペーサが互いに積み重ねられることを可能とするが、これは、輸送および保管中のスペースを節約する。スペーサの手動および自動取扱いも容易となる。
【００２０】
本発明の有利な展開においては、基礎スペーサはさらに、補強グリッドを支持するように構成された第２の支持面と、下側支承面と第２の支持面とを接続する内側側壁とを備え、第１の支持面は、角度βで、下側支承面から第２の支持面へと傾斜させられる。このようにして、基礎スペーサの強度と安定性が向上させられ、補強グリッドのための可能な接触位置の数が増加する。内側側壁の角度は、好ましくは、外側側壁の角度と同じである。本発明の有利な展開では、基礎スペーサの外形は円形である。対称な形状を使用することにより、基礎スペーサの取り扱いが簡単になる。
【００２１】
本発明の有利な展開では、基礎スペーサの外形は１２０度の分割角を有する三つの半円形部分を含む。このような形状によって、基礎スペーサの安定性が向上する。さらに、基礎スペーサのために必要な材料量が低減される。
【００２２】
本発明の有利な展開では、基礎スペーサはさらに、基礎スペーサの自動分配のために使用されるように構成された中央開口を備える。中央開口は、この中央開口を通ってハンドヘルドフィーダデバイスに基礎スペーサのスタックが挿入されることを可能とし、この場合、フィーダデバイスは細長い本体を備える。基礎スペーサは、フィーダデバイスの解放機構を操作することによって一つずつ解放することができる。
【００２３】
本発明の有利な展開において、第１の支持面は外側に延在する外側リムを備える。このようにして、基礎スペーサの強度および剛性が向上させられる。外側に延在するリムもまた、フィーダデバイスの解放機構と協働して、基礎スペーサの自動分配を容易にするために使用することができる。
【００２４】
本発明の有利な展開において、第２の支持面は向側に延在する内側リムを備え、これは基盤スペーサの強度および剛性を向上させる。内側に延在するリムは中央開口に隣接して配置される。内側リムはまた、フィーダデバイスの解放機構と協働することによって、基礎スペーサの自動分配を容易にするために使用することができる。
【００２５】
本発明の有利な展開において、基礎スペーサは内側壁と外側壁とを相互接続する少なくとも一つの中間壁を備える。このようにして、基礎スペーサの荷重支持能力および剛性が改善される。
【００２６】
本発明の有利な展開では、基礎スペーサは、複数の基礎スペーサを積み重ねた場合に別の基礎スペーサの支承面を支持するよう適合された外側および／または内側側壁の内側の複数の隆起部を備える。これによって、それらが積み重ねられているときに、基礎スペーサは互いに張り付かず、この結果、それらが分配されるときに、それらは一つずつ容易に分離させることができる。さらに、積み重ねられたスペーサ用の良好に規定された垂直インターバルが実現される。基礎スペーサが第２の上側支持面および内壁を備える場合、同じ高さの隆起部がまた、外側側壁の内側に向かう方向において内壁に設けられてもよい。
【００２７】
本発明の有利な展開では、基礎スペーサはマガジン内に積み重ねられる。このようにして、複数の基礎スペーサは効率的な方法で取り扱うことができる。
【００２８】
本発明の有利な展開では、マガジンは、一度に一つのスペーサをマガジンから解放することができるように、解放機構に取り付けられるように適合される。解放機構は、例えば、マガジンを運ぶユーザーによって操作可能な解放レバーを含む。このようにして、ユーザーは、簡単な方法で、選択された位置で基盤スペーサを解放することができる。
【００２９】
本発明の有利な展開では、積み重ね可能な基礎スペーサを分配するためのフィーダデバイスが提供される。フィーダデバイスは、複数の積み重ね可能な補強スペーサを支持するための本体と、一度に一つの補強スペーサを解放するための解放機構と、フィーダデバイスを保持するためのハンドルとを備える。解放機構は、好ましくは、ユーザーによって、例えば基礎スペーサを解放するたびに押圧される解放レバーによって手動で操作される。基礎スペーサは、フィーダの装填を簡素化するためにマガジンに設けられてもよい。
【００３０】
一実施形態では、フィーダデバイスの本体は長尺であり、中央開口部を使用することによって積み重ね可能なスペーサを経て挿入されるロッドとして成形される。ハンドルは、フィーダデバイスの上部に配置され、かつ、スペーサのスタックと共にフィーダデバイスを保持するように適合される。解放機構は、フィーダデバイスの反対側端部に、すなわちフィーダデバイスの底部に配置される。解放グリップは、ユーザーが所望の位置でスペーサを解放することができるようにハンドルに配置される。この実施形態では、解放機構は、基礎スペーサの内面に、好ましくは内側リムに作用する。前後に歩行することによって、基礎スペースを、簡単で、人間工学的で、かつ、費用効果に優れた様式で、意図された基礎領域にわたって分配することができる。
【００３１】
別の実施形態では、フィーダデバイスは車輪を備え、ユーザーによって引っ張られるかあるいは押される小型カートに似ている。フィーダデバイスは、所望の位置で基盤スペーサを解放するための解放グリップを有するハンドルを備える。この実施形態では、解放機構は、好ましくは外側リムにおいて、基礎スペーサの外面に作用する。
【００３２】
本発明の有利な展開では、フィーダデバイスは、所定のインターバルで基礎スペーサを解放することができる半自動解放機構を備える。インターバルは、好ましくは、ユーザーによって設定される。ある実施例では、インターバルはフィーダデバイスの車輪の回転に依存し、すなわちインターバルは、フィーダデバイスが移動した距離に依存する。フィーダデバイスは、好ましくは、半自動であり、ユーザーによって手動で引っ張られたり、押されたりする。
【００３３】
本発明の有利な展開では、フィーダデバイスは、第１の解放機構から側方に配置された第２の解放機構を備え、この場合、第１および第２の解放機構は類似している。このようにして、２列の基礎スペーサを同時に分配することができる。両基礎スペーサは、解放機構によって同時に解放されてもよい。オフセットを持つ二つの等しい列が得られるように、各解放機構の解放位置を、例えば解放インターバルの長さの半分だけ異ならせることも可能である。異なるように離間した基礎スペーサを有する二つの列が得られるように、各解放機構の所定のインターバルを異なるように設定することも可能である。
【００３４】
本発明の有利な展開では、二つの解放機構間の距離は、基礎スペーサの二つの列間の距離を設定できるように横方向に調整することができる。二つの解放機構に適した調整間隔は、０．７ないし１．３メートルであるが、基礎スペーサのサイズおよび補強グリッドのサイズに応じて、その他の調節インターバルを用いることができる。
【００３５】
本発明の有利な展開では、フィーダデバイスは完全自動であり、自走式である。この例では、フィーダは作業現場全域をナビゲートし、所定の位置に基盤スペーサを配置する。ナビゲーションは、好ましくは、作業現場に配置されたローカルナビゲーションシステムあるいはディファレンシャルＧＰＳナビゲーションシステムを使用してなされる。
【００３６】
本発明について、図面に示される実施形態を参照して、以下でさらに詳しく説明する。
【図面の簡単な説明】
【００３７】
【図１】本発明に係る基礎スペーサの第１実施形態を示す図である。
【図２】本発明に係る基礎スペーサの展開を示す図である。
【図３】図２に係る基礎スペーサの断面図である。
【図４】本発明に係る基礎スペーサの展開を示す図である。
【図５】補強グリッドを支持する、本発明に係る複数の基礎スペーサを示す図である。
【図６】本発明に係る基礎スペーサのスタックを示す図である。
【図７】本発明に係るハンドヘルドフィーダデバイスを示す図である。
【図８】基礎スペーサのスタックを支持する、本発明に係るハンドヘルドフィーダデバイスを示す図である。
【図９】本発明に係る基礎スペーサ用のマガジンを示す図である。
【図１０】本発明に係る基礎スペーサ用の半自動フィーダデバイスを示す図である。
【発明を実施するための形態】
【００３８】
以下で説明するさらなる展開を有する本発明の実施形態は、単なる実例と見なされるべきであり、特許請求の範囲によって与えられる保護の範囲を決して限定しない。
【００３９】
図１は、補強グリッドを支持するよう構成された、本発明に係る基礎スペーサの第１実施形態を示す。基礎スペーサ１は、コンクリートが流し込まれる地面上に配置されるべく適合された第１の支承面２を備える。この地面は比較的柔らかく、そして不均一であってもよく、たいてい、粗砂、砂利、砂またはその他の自由排水物質の地層を備える。基礎スペーサの第１の支承面は、したがって、スペーサが安定して立つことができかつ柔らかい地面に沈まないように、比較的大きなものである必要がある。地面はまた、発泡ポリスチレン（ＥＰＳ）であることがあり、これはまた、大きな支承面が有利であるように比較的軟質である。基礎スペーサはさらに、複数の位置で補強グリッドを支持するよう構成された第１の周方向支持面３を備える。スペーサの、したがって上側支持面の外周１０のサイズは、それが補強グリッドのメッシュよりも大きいようなものである。このようにして、基礎スペーサが補強グリッドに対して配置される場所に関係なく、基礎スペーサは、常に、補強グリッドを支持することができる。外周側壁４は、第１の支承面２と第１の支持面３とを接続する。外周側壁４は、角度αで、第１の支承面から第１の支持面へと外側に傾斜している。
【００４０】
側壁の傾斜角度は、好ましくは、１〜３０度、さらに好ましくは２〜１５度の範囲内である。これによって、スペーサは容易に製造でき、しかも複数のスペーサを互いに積み重ねることができる（これは、基礎スペーサの自動的かつ時間効率的な分配のための前提条件である）。小さな角度は剛性の高い、高強度なスペーサを提供する。より大きな角度は、必要な材料使用量を低減できる。
【００４１】
側壁の外側への傾斜は、基礎スペーサの上側部分が基礎スペーサの下側部分よりも大きくなることを可能とする。このようにして、補強グリッドを常に支持することができ、そして基礎スペーサのベースを補強グリッドのメッシュよりも小さくすることができるので材料が節約される。傾斜した側壁を使用することのさらなる利点は、基礎スペーサを互いに積み重ねることができることであり、これは、輸送および保管中にスペースをさらに節約する。第１の支承面は複数の開口を備えるが、これは材料の使用料を少なくすることができ、しかも成形されたコンクリートを強化する。開口は、コンクリート型枠内に注ぎ込まれたとき、コンクリートが基礎スペーサの下方の不均一領域を満たすために通り抜けることを可能とし、これは、今度は、コンクリート型枠内に空洞が形成されるのを防止する。スペーサの中心には、ここでは、大きな中心開口７が設けられる。さらに、側壁は、好ましくは、コンクリートを通過させる開口を備える。
【００４２】
上側支持面３は、側壁４から外側に延在するリム５を備える。リムは、この例では、上側支持面を構成する。リムの外周１０は、したがって、支持面のサイズを設定する。支持面のサイズは、それが、支持される補強グリッドのメッシュよりも大きいようなものである。図１に示すような円形基盤スペーサに関して、リムの外径は、したがって補強グリッドのメッシュサイズよりも大きい。基礎スペーサが別の形状を有する場合、リムの外側範囲は、基礎スペーサが配置される方法に関係なく、それが補強グリッドのメッシュよりも大きくなるようなものである。基礎スペーサが、このスペーサがメッシュを通過することなく補強グリッドを常に支持できることを保証することで、基礎スペーサは地面上にランダムに分配することができる。したがって正確な位置決めは不要であり、これは時間を節約する。さらに、半自動または全自動でスペーサを分配するフィーダを使用でき、これはより多くの時間を節約することを可能にする。
【００４３】
リムは、補強グリッドのための支持面積をさらに増加させ、そしてまた、補強グリッドが支持面を横切ったり、基盤スペーサを損傷させたりすることを防止する。リムは、中断を伴わずに、完全なスペーサの周りで延在すべきである。
【００４４】
上側支持面が平坦であり、かつ、一つの平面内に配置され、かつ、補強バーのための保持手段を備えていないので、基礎スペーサは、主として、補強グリッドを支持するよう意図されている。もちろん、別なタイプの補強構造体の支持のためにそれを使用することも同様に可能である。スペーサは、ランダムに配置することができ、しかも依然として補強グリッドを支持する。基礎スペーサは、修理、修復のために、そして補強材が使用される基礎／グランドプレートの新たな構築のために使用されることに適合され、そして、材料にかかわらず、地面、型枠またはその他の表面から上昇させられる必要がある。
【００４５】
さらに、基礎スペーサはまた別な様式で、例えば、基礎内のグリッドの二つの層間で、あるいは壁要素内のグリッドの二つの層間で使用することができる。基礎スペーサは、基礎スペーサがユーザーによって一つずつ適所に配置される手動分配、そして半自動または完全自動分配の両方に適している。それらが手動で配置される場合、基礎スペーサのスタックは、特殊なマガジンを使用してあるいは使用せずに、ユーザーによって容易に運搬できる。
【００４６】
基礎スペーサのサイズおよびデザインによって、それらをランダムな位置に配置することが、そしてそれらが依然として補強グリッドための良好なサポートを付与できることが可能となる。所与の補強グリッドを支持するために必要なスペーサの必要数を規定する規制はない。本発明の基礎スペーサに関して、基礎スペーサの正確な数および各スペーサの正確な位置は重要ではない。というのは、補強グリッドは常に各スペーサによって支持されているからである。スペーサのデザインおよび形状は変化してもよいが、必要な機能を実現し、そしてスペーサの使用材料を最小限にするために、本発明のいくつかの重要な態様が存在する。複数のスペーサを積み重ねることを可能とするために、外側側壁は傾斜しなければならない。外向き傾斜を用いることにより、下側支承面を支持面よりも小さくすることができるので材料が節約される。基礎スペーサ内へのコンクリートの充填も容易になる。上側支持面は、支持される補強グリッドのメッシュのサイズに応じて、基礎スペーサのサイズを決定する。
【００４７】
さらに、基礎スペーサの強度および安定性を高めるために、スペーサの内部に一つ以上の相互接続壁を設けることが有利であり、この場合、この相互接続壁は基礎スペーサの積み重ねを妨げない。
【００４８】
図２には基礎スペーサの展開が示されており、図３には図２の基礎スペーサの断面が示されており、そして図４には基礎スペーサのさらなる展開が示されている。ここで、基礎スペーサの外形は、１２０度の分割角を有する三つの半円形部分を含む。その他の形状も可能であるが、これは補強グリッドのための複数の支持点を提供するという点で有利である。基礎スペーサの強度を向上させるため、そしてさらに多くの支持点を提供するために、基礎スペーサはまた第２の支持面６を備える。第２の支持面は、周方向内側壁１１を介して支承面２に接続されるが、これは角度βで内側に傾斜している。角度βは、角度αと同じであってもよく、あるいはそれよりも大きいか小さくてもよい。内側壁は支承面から第２の支持面へと内側に傾斜しているので、スペーサを互いに積み重ねることが可能である。第２の支持面は基盤スペーサを安定化させるのを助け、そして補強グリッドの重量が多くの支持点の上に分配されるように、さらなる支持面を提供する。第２の支持面６は基礎スペーサの中心に配置され、そして中心開口７を備える。第２の支持面６および中心開口７は、基礎スペーサの中心軸線の周りに対称に配置されてもよいが、中心軸線からのオフセットを伴って一方あるいは両方を配置することも可能である。
【００４９】
第２の支持面は、好ましくは、中心開口に隣接して、スペーサの中央に配置された内側に延在するい内側リム１４を備えるが、これは第２の支持面を拡大する。中心開口７のサイズは、好ましくは、フィーダデバイスの本体が中心開口を通って嵌合できるように、ハンドヘルドフィーダデバイスのサイズに適合される。このようにして、基礎スペーサはフィーダデバイスによって保持することができ、そしてフィーダデバイスの本体によって支持することができる。内側に延在する内側リム１４はまた、フィーダデバイスのフィーダ機構がそのように要求する場合には、第２の支持面６から下方にオフセットされてもよい。オフセット距離は、好ましくは、基礎スペーサを積み重ねることができるように、隆起部１２の高さと同じである。
【００５０】
内側側壁および外側側壁はまた、この例では、依然として積み重ね可能でありながらスペーサにさらに剛性を提供するアーチ形中間補強壁８と接続される。図示のスペーサは、三つのより大きな開口９と、複数のより小さな開口とを備える。外側側壁の内側はまた、スペーサの積み重ねを容易にするよう適合された小さな隆起部１２を備えてもよい。隆起部の高さは、積み重ねられたとき別のスペーサの支承面が隆起部の上に立つようなものであり、これは、それらが一緒に押されたときにスペーサが互いに張り付くのを防止する。これは、スペーサのスタックを分離させるのを容易にする。隆起部はさらに、スペーサ間の高さ間隔を、すなわち垂直インターバルを規定する。良好に規定された垂直インターバルは、それが、例えば専用マガジンからの、あるいはフィーダデバイスからの積み重ねられたスペーサの供給を簡素化するという点で有利である。基礎スペーサが第２の上側支持面および内壁を含む場合、同じ高さの隆起部が、外側側壁の内側に向かう方向に、内壁に設けられてもよい。
【００５１】
基礎スペーサの上側支持面３，６は平坦でありかつ一つの平面内に配置され、補強バーのための保持手段を持たないので、基礎スペーサは、主として、補強グリッドを支持するために意図される。基礎スペーサはランダムに配置することができ、依然として補強グリッドを支持する。
【００５２】
基礎スペーサは、主として、たとえユーザーが手作業でそれを分配することが可能であっても、フィーダデバイスによって分配されるよう適合される。図１ないし図４に示す基礎スペーサはランダムに配置することができかつ正確に配置される必要はないでの、時間効率的であり、使い勝手がよい。基礎スペーサを配置するための現在最速の作業方法であるリニアスペーサと比較して、そした積み重ね可能な基礎スペーサを分配するための時間は、本発明のハンドヘルドフィーダデバイスを使用することによって大幅に低減できる。
【００５３】
図５は、補強グリッドを支持する複数の基礎スペーサを示している。この例では、外形は、図２に示すように、１２０度の角度で分割された三つの半円形部分を含む。外側側壁は、依然として、角度αで外側に傾斜している。この形状は、僅かに、クローバーの葉形状に似ている。形状が支持される補強グリッドのメッシュよりも大きい限り、その他の形状も、もちろん可能である。一例では、図５に示すように、基礎スペーサは、２０ｃｍのメッシュサイズ２１を備えた補強グリッド２０のために意図される。支持面の外形は、したがって、２０×２０ｃｍの正方形よりも大きい。このようにして、基礎スペーサは、常に、グリッドがスペーサ上にどのように配置されるかにかかわらず、補強グリッドを支持することができる。補強グリッドは、誤整列スペーサに起因して、落下することはない。図５から分かるように、基礎スペーサは、常に、複数の支持点で補強グリッドを支持し、補強グリッドおよび基礎スペーサは、基礎スペーサの位置と補強グリッドとの関係にかかわらず、常に、複数の支持点を有する。
【００５４】
図６は、基礎スペーサ１のスタック１３を示している。スペーサの積み重ねられたパイルは、輸送および保管中のスペースを節約する。図９に示すように、スペーサは、特殊なマガジン内に積み重ねられてもよい。図示するマガジン４０は、基礎スペーサのスタック１３を保持するように適合されている。基礎スペーサは、マガジンに収容されて販売および輸送されてもよく、あるいは作業現場でマガジン内に配置されてもよい。マガジンは、したがって、意図された用途に応じて、例えば、プラスチック、ボール紙、段ボールあるいは金属から形成されてもよい。例えば、ある種の取り替えシステムにおいてマガジンを使用することが可能であり、この場合、マガジンは装填ステーションで装填され、基礎スペーサが地面上に分配される作業現場へと運ばれる。マガジンは、その後、再装填のための装填ステーションに戻される。このようにして、コスト効果よい受け渡しシステムが実現される。マガジンはさらに、スペーサのスタックから一度に一つの基礎スペーサを解放するよう構成された解放機構４１に取り付けることができる。基礎スペーサの解放は、例えば、オペレータがレバー４２を用いることによって手動で行える。このようにして、ユーザーはマガジンを持って歩き回り、適切な位置で基礎スペーサを解放することができる。基礎スペーサの正確な間隔を規定する規制がないため、多くの場合、どこにスペーサを配置するかを決定するのはユーザーの経験である。このタイプの解放機構を使用することにより、補強グリッドが適切な支持を受けることを保証できる。
【００５５】
図７は、基礎スペーサといった積み重ね可能な補強スペーサを分配するよう構成された、本発明に係るハンドヘルドフィーダデバイス３０の第１実施形態を示す。図８は、基礎スペーサ１のスタック１３と共にハンドヘルドフィーダデバイスを示す。図示するフィーダデバイス３０は、歩き回る、片手でフィーダデバイスを保持しかつ操作するユーザーによって操作されることを意図している。フィーダデバイスは、細長い本体３６を備え、かつ、ロッドまたは同様の要素であってもよい。本体の外形は円形であってもよく、またはその他の形状であってもよい。好ましくは、適切な形状は、四角形、六角形または八角形のような対称形であるが、三角形あるいは五角形のようなその他の形状も可能である。対称的な形状は、本体の形状が積み重ね可能な基礎スペーサの内側中央開口７の形状に対応している必要があるので有利である。対称形状はフィーダデバイスへのスペーサの装填を容易にする。
【００５６】
フィーダデバイスはさらに、一度に一つの基礎スペーサを解放するための解放機構３１およびフィーダデバイスを保持するためのハンドル３３を備える。図示の例では、フィーダデバイスは、解放機構３１を動作させるための解放グリップ３２を備える。フィーダデバイスは、ユーザーによってハンドルで保持される。ユーザーは、互いに向かってハンドルおよび解放グリップを動作させることにより解放機構を作動させる。この動作は、フィーダデバイスの下端において解放機構３１を作動させる。その他の方法で解放機構を作動させることも可能である。一例では、解放機構はスプリング装荷され、解放機構はハンドルを上向きに素早く引っ張ることによって操作される。この引っ張り作用は、スプリング装荷された解放機構のスプリング力に打ち勝ち、これは一つのスペーサを解放する。別の例では、解放機構は、ワイヤによって解放機構を作動させるレバーを操作することによって操作される。
【００５７】
解放機構３１は、第１の解放手段３８および第２の解放手段３９を備える。第１の解放手段３８手段および第２の解放手段３９は類似しており、第２解放手段３９は垂直方向に第１の解放手段の上に配置される。第１の解放手段と第２の解放手段との間の距離は、２つの積み重ねられたスペーサ間の間隔に対応する。このようにして、解放機構が操作されたとき、一つのスペーサを解放することができる。第１の解放手段３８は、単一のスペーサまたは全てのスペーサを保持するように適合された第１の位置３４に配置される。第２の解放手段３９は、複数のスペーサの残りのスタックを保持するように適合された第２の位置３５に配置される。
【００５８】
解放手段３８，３９は、それらが保持位置にあるときには、本体から外側に突出する。一例では、第１の解放手段は、解放機構が機能していない（アイドル状態にある）ときに、それが全てのスペーサを保持するように外側へ突出する。ここでは互いに向かってハンドルおよび解放グリップを引っ張ることによって、解放機構が操作されたとき、第２の解放手段３９は、この第２解放手段がスペーサを支持できるように外側へ突出する。解放機構をさらに操作することにより、第１の解放手段３８は、それが本体と整列させられかつ一つのスペーサが解放されるように後退する。スペーサの残りは、いま、第２の解放機構３９によって保持される。解放機構を解放することによって、すなわちハンドルと解放グリップとがアイドル位置へと相互から延在するように解放グリップを解放することによって、第１の解放手段、それが全てのスペーサを保持できるように外側へ突出する。リターンスプリング３７が、好ましくは、そのアイドル位置へと解放グリップを戻すように配置される。その後、全てのスペーサを保持する第２の解放手段は、全てのスペーサが第１の位置に落下し、第１の解放手段によって保持されるように後退する。
【００５９】
別の例では、第１の解放手段３８は、解放機構が操作されたとき、それが本体と整列させられるようにまず後退する。このようにして、単一のスペーサが解放され、最初の位置から落下することができる。さらに解放グリップを操作することにより、第１の解放手段は再び突出し、第２の解放手段は、スペーサのスタックが第２の位置から解放されるように後退する。スペーサのスタックは、スタック内の最初の最下段のスペーサが第１の位置に到着し、そして第１の解放手段によって保持されるように落下する。解放グリップが再び解放されるまで、その他のスペーサは第１のスペーサ上に載る。リターンスプリング３７は、好ましくは、そのアイドル位置に解放グリップを戻すように構成される。これは、第２の解放手段が再び突出することを促進し、これによってスペーサの残りのスタックを保持する。第１の解放手段は、今、最下段のスペーサを保持するだけである。解放グリップの次の操作により、第１の位置で第１の解放手段によって保持された一つのスペーサは解放され、一つのスペーサの装填が繰り返される。
【００６０】
スペーサのスタックの全てのスペーサが解放されたとき、スペーサの新しいスタックがフィーダデバイスに装填される。これは、フィードイン位置へと解放グリップを操作することにより行われるが、ここで、両方の解放手段は同時に後退しまたは弛緩する。これによって、フィーダデバイスが容易にスペーサの新しいスタック内に装填できるように、両方の解放手段が本体外面と整列することが可能となる。フィーダデバイスがスペーサのスタック内に装填されるとき、解放グリップは、スペーサのスタックがフィーダデバイスによって保持されるようにフィードイン位置から復帰させられる。ユーザーは、いま、スペーサを分配し続けることができる。
【００６１】
フィーダデバイスは、様々な方法で設計することができる。しかしながら、解放手段が、スペーサの内側支持面、例えば内側リム上で、スペーサを保持することが好ましい。このようにして、簡素で信頼性の高いハンドヘルドフィーダデバイスが得られる。解放手段は、弛緩状態となるかスプリング装荷され得るボールあるいはキャッチを備えることができる。解放グリップの操作は、好ましくは、ロッドまたはワイヤによって解放機構に伝達される。フィーダデバイスがスペーサの新しいスタック内に挿入されたとき、それらが後退するように、解放手段をスプリング装荷させることも可能である。解放グリップにフィードイン位置を提供する利点は、例えばスペーサなどの分配が終了するか、あるいは別のサイズを使用すべき場合に、同時に全てのスペーサを解放するがやはり容易であるということである。
【００６２】
図１０は、積み重ね可能な基礎スペーサ用フィーダデバイス５０の別な例を示す。図示されるフィーダデバイス５０は、ユーザーによって操作されることを意図された半自動フィーダデバイスである。このフィーダデバイスは車輪付き台車に似ており、本体５７および少なくとも一つの解放機構５１を備える。解放機構５１は、マガジン４０に搭載された解放機構４１から構成されてもよく、基礎スペーサを保持しかつ解放するために外側リムを使用するよう構成された別なタイプの解放機構であってもよい。ユーザーはハンドル５２によってフィーダデバイスを引っ張るかあるいは押し、フィーダは車輪５６上で転がる。基礎スペーサは解放レバー５５を用いて手動で解放されてもよく、あるいは、スペーサが所定の間隔で配置されるように所定の間隔でスペーサを解放することが可能である。フィーダデバイスの解放位置間の距離は、ダイヤル等で設定することができる。図示の例では、フィーダデバイスは二つの解放機構を備え、これはフィーダデバイスの各側に一つずつ設けられている。解放機構間の距離は、基礎スペーサの側方間隔を調整できるように調整することができる。あるタイプの補強グリッドにとって適切な感覚は、０．７〜１．３メートルの間隔内にある。積み重ねられたスペーサ１３は、上方からフィーダデバイスのホルダー５３内に配置される。スペーサは、マガジンからホルダー内に装填することができる。ホルダーとしてマガジンを使用することも可能である。スペーサは解放機構から下方に解放される。フィーダデバイスは、使用目的に応じて、二つ以上の車輪を有していてもよい。図示されたフィーダデバイスは四つの車輪を含むが、手で引っ張られるフィーダデバイスに関しては二輪で十分である。図示されたフィーダデバイスはまた、本体５７に設けられた集積領域５４を備えるが、ここにはスペーサの追加スタックを集積することができる。スペーサは、図示の例では、解放レバー５５を引っ張ることによって解放される。第１の解放機構が空になったとき、一つの解放機構が基礎スペーサを分配し続けることができるように、フィーダの各側に複数の解放機構を備えたフィーダデバイスを提供することも可能であろう。このようにして、フィーダの再装填が簡略化される。
【００６３】
解放機構は、ある例では、解放位置間の距離を容易に調整することができるように、フィーダデバイスの車輪５６に連結される。車輪、例えば解放機構のレバーに衝突する軸方向可動タップに直接的に接続された機械的カウンターを使用することが、あるいは所望の距離を得るために電子回転センサを使用することが可能である。所定の距離の後、フィーダデバイスは地面にスペーサを落とす。
【００６４】
フィーダデバイスの一つの利点は、それが基礎スペーサを分配するための作業時間を低減することである。さらなる利点は、それがユーザーの作業環境を改善することである。通常、ユーザーは、基礎スペーサが配置される度に、かがむ必要がある。フィーダデバイスを用いることで、ユーザーは直立歩行することができる。
【００６５】
半自動フィーダデバイスは、おそらく、より費用効率的であり、多くの時間を節約にもかかわらず、フィーダデバイスを完全に自動化することも可能である。この場合、フィーダデバイスは自走式であり、しかも、スペーサを自動的に大きな領域において所定の位置で位置決めできるよう所定の経路に従うようにプログラムすることができる。自動フィーダデバイスの案内は、例えばレーザーによって、あるいは分化ＧＰＳシステムといったナビゲーションシステムによって管理することができる。案内システムを用いることによって、フィーダデバイスが空の場合、装填ステーションへとフィーダデバイスを帰還させすることも可能である。このようにして、フィーダデバイスは、非常に広い領域において、そしておそらく一晩中、無人で使用できる。
【００６６】
車輪の回転を測定し、経路に従うように、この情報を使用することにより、外部誘導システムなしで、フィーダデバイスが所定の経路をたどるようにすることも可能である。そのような単純なフィーダデバイスの案内システムは十分に押し固められた地面に適しているであろう。なぜなら、それは車輪のスリップを補償することができないからである。
【００６７】
自動フィーダデバイスをプログラミングする一つの方法は、フィーダデバイスの制御システム内に設計図を入力することである。制御システムはどこにスペーサを配置するかを計算し、そして準備ができたとき、ユーザーはスタートボタンを押すことができ、フィーダデバイスは所定位置へのスペーサの分配を開始する。
【００６８】
本発明は上述した実施形態に限定されるとみなされるべきではなく、さまざまな追加的変形および改変は特許請求の範囲内で可能である。基礎スペーサは、任意のサイズを有することができ、しかも任意の適切な材料から製造することができる。その他の形状も可能である。
【符号の説明】
【００６９】
１  基礎スペーサ
２  下側支承面
３  第１の支持面
４  外側側壁
５  外側リム
６  第２の支持面
７  中央開口
８  アーチ形壁
９  下側開口
１０  外周
１１  内側側壁
１２  隆起部
１３  基礎スペーサのスタック
１４  内側リム
２０  補強グリッド
２１  メッシュ
３０  フィーダデバイス
３１  解放機構
３２  解放グリップ
３３  ハンドル
３４  第１の位置
３５  第２の位置
３６  本体
３７  リターンスプリング
３８  第１の解放手段
３９  第２の解放手段
４０  マガジン
４１  解放機構
４２  レバー
５０  フィーダ
５１  解放機構
５２  ハンドル
５３  ホルダー
５４  ストレージエリア
５５  レバー
５６  車輪
５７  本体
【図１】
2015533961.tif 000003
【図２】
2015533961.tif 000004
【図３】
2015533961.tif 000005
【図４】
2015533961.tif 000006
【図５】
2015533961.tif 000007
【図６】
2015533961.tif 000008
【図７】
2015533961.tif 000009
【図８】
2015533961.tif 000010
【図９】
2015533961.tif 000011
【図１０】
2015533961.tif 000012
【手続補正書】
【提出日】平成26年7月4日(2014.7.4)
【手続補正１】
【補正対象書類名】特許請求の範囲
【補正対象項目名】全文
【補正方法】変更
【補正の内容】
【特許請求の範囲】
【請求項１】
フィーダデバイスを用いた自動分配に適合された積み重ね可能な基礎スペーサ（１）であって、前記フィーダデバイスの本体は前記スペーサの中心開口を経て嵌合するよう構成され、かつ、前記フィーダデバイスの解放機構は、スペーサを解放するよう構成されかつ補強グリッド（２０）を支持するよう構成されており、前記基礎スペーサ（１）は、コンクリートのための基礎支持面上に配置されるように適合された下側支承面（２）と、複数の接触位置において補強グリッドを支持するよう構成された第１の支持面（３）と、前記下側支承面（２）と前記第１の支持面（３）とを接続する外周側壁（４）と、を備え、前記外周側壁（４）は、角度αで、前記下側支承面（２）から前記第１の支持面（３）へと外側に傾斜しており、かつ、前記第１の支持面（３）の形状は、支持される前記補強グリッド（２０）におけるメッシュ（２１）よりも大きく、かつ、前記基礎スペーサ（１）は、この基礎スペーサ（１）の自動分配のために使用されるように適合された中央開口（７）を備える、積み重ね可能な基礎スペーサ。
【請求項２】
前記基礎スペーサは、さらに、前記補強グリッド（２０）を支持するよう構成された第２の支持面（６）と、前記下側支承面（２）と前記第２の支持面（６）とを接続する内側側壁（１１）と、を備え、前記内側側壁（１１）は、角度βで、前記下側支承面（２）から前記第２の支持面（６）へと内側に傾斜している、請求項１に記載の積み重ね可能な基礎スペーサ。
【請求項３】
前記基礎スペーサの外形は円形である、請求項１または請求項２に記載の積み重ね可能な基礎スペーサ。
【請求項４】
前記基礎スペーサの外形は、１２０度の分割角度を有する三つの半円形部分を備える、請求項１または請求項２に記載の積み重ね可能な基礎スペーサ。
【請求項５】
前記第１の支持面は外側に延在する外側リム（５）を備える、請求項１ないし請求項４のいずれか１項に記載の積み重ね可能な基礎スペーサ。
【請求項６】
前記第２の支持面は内側に延在する内側リム（１４）を備える、請求項２ないし請求項５のいずれか１項に記載の積み重ね可能な基礎スペーサ。
【請求項７】
前記基礎スペーサは、前記外側側壁（４）を前記内側側壁（１１）と相互接続する少なくとも一つの中間壁（８）を備える、請求項２ないし請求項６のいずれか１項に記載の積み重ね可能な基礎スペーサ。
【請求項８】
前記基礎スペーサは、複数の基礎スペーサが積み重ねられたとき、別な基礎スペーサの前記支承面（２）を支持するよう構成された前記外側および／または内側側壁（４，１１）の内側に複数の隆起部（１２）を備える、請求項１ないし請求項７のいずれか１項に記載の積み重ね可能な基礎スペーサ。
【請求項９】
請求項１ないし請求項８のいずれか１項に記載の積み重ね可能な基礎スペーサ（１）を分配するよう構成されたフィーダデバイス（３０）であって、前記フィーダデバイス（３０）は、前記基礎スペーサの中心開口を経て複数の積み重ね可能な基礎スペーサ（１）を支持するための本体（３６）と、一度に一つの補強スペーサ（１）を解放するための解放機構（３１）と、前記フィーダデバイス（３０）を保持するためのハンドル（３３）と、を備える、フィーダデバイス。
【請求項１０】
前記フィーダデバイスは、手で前記解放機構を作動させるための解放グリップ（３２）を備える、請求項９に記載のフィーダデバイス。
【請求項１１】
前記解放機構（３１）はスプリング装荷されており、かつ、前記解放機構は、前記解放機構のスプリングの力に打ち勝つために、前記ハンドル（３３）を上向きに引っ張ることによって操作される、請求項９または請求項１０に記載のフィーダデバイス。
【請求項１２】
前記本体（３６）は長尺なロッドである、請求項９ないし請求項１１のいずれか１項に記載のフィーダデバイス。
【請求項１３】
前記本体（３６）の外形は円形である、請求項１２に記載のフィーダデバイス。
【請求項１４】
前記解放機構（３１）は、第１の位置（３４）に第１の解放手段（３８）を、そして第２の位置（３５）に第２の解放手段（３９）を備える、請求項９ないし請求項１３のいずれか１項に記載のフィーダデバイス。
【請求項１５】
前記第１の解放手段（３８）は、それが一つのスペーサを保持するように外側に突出するよう構成され、かつ、前記第２の解放手段（３９）は、前記解放機構が保持位置にあるとき、それが全てのスペーサを、ただし一つ保持するように突出するよう構成される、請求項１４に記載のフィーダデバイス。
【請求項１６】
前記第１の解放手段（３８）は、それが全てのスペーサを保持するように外側に突出するよう構成され、かつ、前記第２の解放手段（３９）は、前記解放機構が保持位置にあるとき後退させられるよう構成される、請求項１４に記載のフィーダデバイス。
【請求項１７】
前記第１の位置（３４）と前記第２の位置（３５）との間の距離は、二つの積み重ねられたスペーサ間の距離に対応する、請求項１４ないし請求項１６のいずれか１項に記載のフィーダデバイス。
【請求項１８】
前記解放機構は、まず、前記第１の位置（３４）から一つのスペーサが解放されるように前記第１の解放手段（３８）を後退させ、第１の解放機構を突出させ、続いて、前記解放機構がスペーサを解放するために操作されたとき、前記第２の位置（３５）から前記第１の位置（３４）へと一つのスペーサが解放されるように前記第２の解放機構（３９）を後退させるように構成される、請求項１４に記載のフィーダデバイス。
【請求項１９】
前記解放機構は、まずそれが全てのスペーサを保持するが一つは前記第２の位置（３５）において保持するように前記第２の解放機構（３９）を突出させ、続いて、前記解放機構がスペーサを解放するために操作されたとき、前記第１の位置（３４）から一つのスペーサが解放されるように前記第１の解放機構（３８）を後退させるよう構成される、請求項１４に記載のフィーダデバイス。
【請求項２０】
各解放手段（３８，３９）は、解放手段がスペーサを保持するとき、前記本体から外側に突出する、請求項１４ないし請求項１９のいずれか１項に記載のフィーダデバイス。
【請求項２１】
前記フィーダ機構は、両方の解放手段（３８，３９）が、それらが同時に前記本体と整列させられるように後退するように適合されたフィードイン位置を備える、請求項１４ないし請求項２０のいずれか１項に記載のフィーダデバイス。
【国際調査報告】
2015533961.tif 000013
2015533961.tif 000014
2015533961.tif 000015
2015533961.tif 000016